(57)【要約】【課題】ゴミを掻き取る際に、清掃対象であるロール状のブラシとゴミ掻き取り手段との間には大きな摩擦力が生じ、ロール状のブラシ表面が荒げられ、劣化を促進するという課題があり、フィルタの表面に付着した汚れの除去を、簡素でコンパクトな方法で、できるだけ摩擦を生じさせることなく、フィルタの劣化を抑えて実施することができることを目的としている。【解決手段】本体ケース１２と、反発性を有する加湿フィルタ１３と、この加湿フィルタ１３に風を送るための送風手段と、加湿フィルタ１３への水供給手段である貯水トレイ１５を備えた加湿装置１１において、加湿フィルタ１３を加湿装置１１内で自動的に清掃することを特徴としたものであり、加湿フィルタ１３の表面に付着した蒸発残渣を除去でき、目詰まりによる加湿性能の低下を防ぐことができるという作用を有する。【選択図】図１
2010091256.tif 000002
【特許請求の範囲】
【請求項１】
少なくとも本体ケースと、前記本体ケースの中に、反発性を有する加湿フィルタと、この加湿フィルタに風を送るための送風手段と、前記加湿フィルタへの水供給手段とを備えた加湿装置において、加湿フィルタを加湿装置内で自動的に清掃することを特徴とした加湿装置。
【請求項２】
反発性を有するフィルタに、このフィルタを変形させるために接触するフィルタ接触部とこの接触部を支持する支持部を備えたフィルタ押さえ手段を接触させ、前記フィルタを変形させることにより清掃を行う請求項１記載の加湿装置。
【請求項３】
加湿フィルタの清掃時期を検知する検知手段を備え、前記検知手段で清掃時期を検知して前記加湿フィルタの清掃を指示する請求項１または２いずれか１項に記載の加湿装置。
【請求項４】
検知手段は、運転時間を計測して積算する時間積算手段である請求項３記載の加湿装置。
【請求項５】
検知手段は、加湿フィルタに触れる水の導電率を測定する導電率測定手段である請求項３記載の加湿装置。
【請求項６】
検知手段は、加湿フィルタに触れる水の光透過率を測定する光透過率測定手段である請求項３記載の加湿装置。
【請求項７】
検知手段は、送風手段にかかる負荷の変化を測定する負荷計測手段である請求項３記載の加湿装置。
【請求項８】
検知手段は、フィルタ押さえ手段にかかる力を測定する反発力測定手段である請求項３記載の加湿装置。
【請求項９】
検知手段は、前記水供給手段の水供給回数を積算する回数積算手段である請求項３から８いずれか１項に記載の加湿装置。
【請求項１０】
水供給手段に水を定期的に補充する水補充手段を備え、前記水補充手段は取り外し可能な貯水タンクであり、検知手段は前記水供給手段の水供給回数を積算する回数積算手段である請求項３から８いずれか１項に記載の加湿装置。
【請求項１１】
水供給手段は水道配管と直結した構造であり、検知手段は前記水供給手段の水供給量を積算する供給量積算手段である請求項３から８いずれか１項に記載の加湿装置。
【請求項１２】
加湿フィルタが回転運動をすることを特徴とする請求項１から１１いずれか１項に記載の加湿装置。
【請求項１３】
フィルタ押さえ手段を、加湿フィルタを取り外す障害にならない位置に配置する請求項２から１２いずれか１項に記載の加湿装置。
【請求項１４】
加湿フィルタが略円筒形状であり、筒の中心軸を回転軸として回転することを特徴とする請求項１から１３いずれか１項に記載の加湿装置。
【請求項１５】
加湿フィルタが円盤形状であり、円盤の中心を回転軸として回転することを特徴とする請求項１から１３いずれか１項に記載の加湿装置。
【請求項１６】
加湿フィルタ清掃時に、加湿フィルタが、その少なくとも一部を水に浸漬して運動することを特徴とする請求項１から１５いずれか１項に記載の加湿装置。
【請求項１７】
反発性を有する加湿フィルタが立体編物を基材とするものであることを特徴とする請求項１から１６いずれか１項に記載の加湿装置。
【請求項１８】
加湿フィルタの清掃後に、排水を行うことを特徴とする請求項１から１７いずれか１項に記載の加湿装置。
【請求項１９】
排水した水を収納する排水トレイを備え、前記排水トレイが水補充手段と同時に取り外すことが可能であり、かつ前記排水トレイと前記水補充手段を分割することが可能である請求項１８記載の加湿装置。
【請求項２０】
排水トレイを乾燥させる乾燥手段を備え、前記排水トレイに水分がある場合に前記排水トレイを乾燥させる請求項１９記載の加湿装置。
【請求項２１】
加湿フィルタの清掃後に、加湿フィルタのすすぎ洗浄を行うようにした請求項１から２０いずれか１項に記載の加湿装置。
【請求項２２】
加湿フィルタの清掃後に、送風手段を稼働させることにより加湿フィルタを乾燥することを特徴とする請求項１から２１いずれか１項に記載の加湿装置。
【請求項２３】
本体ケースを収納する前に、加湿フィルタの清掃後に、送風手段を稼働させることにより加湿フィルタを乾燥するとともに、本体ケース内部も乾燥することを特徴とする請求項１から２１いずれか１項に記載の加湿装置。
【請求項２４】
少なくとも本体ケースと、前記本体ケースの中に、集塵フィルタと反発性を有する加湿フィルタと、この加湿フィルタに風を送るための送風手段と、前記加湿フィルタへの水供給手段とを備えた加湿装置付空気清浄装置において請求項１から２３いずれか１項に記載の加湿装置を備えた空気清浄装置。
【発明の詳細な説明】
【技術分野】
【０００１】
本発明は、室内の空気を加湿するために使用され、フィルタを有する加湿装置に関するものである。
【背景技術】
【０００２】
従来、この種の清掃方法は、ロール状のブラシに付着したゴミを掻き取るものが知られている（例えば、特許文献１参照）。
【０００３】
以下、そのフィルタ清掃方法について図９を参照しながら説明する。
【０００４】
図９に示すように、清掃装置１０１は、箱状の筐体１０２と筐体１０２の一端寄両壁に回転自在に枢支されたロール状のブラシ１０３と、筐体１０２内のブラシ１０３を除いた他端側に形成されたダストボックス１０４と、ダストボックス１０４の開口部を回動して閉鎖自在とする蓋１０５と、筐体１０２における蓋１０５とは反対側の上部内面に先端がブラシ１０３の表面と接触するよう取り付けられたゴミ掻き取り部材１０６を備えたものである。ロール状のブラシ１０３に付着したゴミは、ブラシ１０３が回転し、ゴミ掻き取り部材１０６により梳かれることによりブラシ１０３から分離され、ダストボックス１０４に収容される。
【０００５】
また、この種の清掃方法には空気清浄機のフィルタを自動的に清掃するものである（例えば、特許文献２参照）。
【０００６】
以下、そのフィルタ清掃方法について図１０を参照しながら説明する。
【０００７】
図１０に示すように、フィルタ清掃手段２０１は、フィルタ２０２の前面に対面して水平方向に延びる吸引ダクト２０３と、吸引ダクト２０３の基端部に設けられた箱状のベルト連結部２０４と、ベルト連結部２０４に着脱自在に装着されるダストボックス２０５とから構成されている。吸引ダクト２０３のフィルタ２０２に対面する吸引部には、複数の吸引孔が設けられており、フィルタ２０２の清掃時には、固定静止したフィルタ２０２上を、吸引ダクト２０３が移動しながら吸引を行い、フィルタ２０２前面の清掃を行う。フィルタ２０２から吸引されたゴミはダストボックス２０５に回収捕集される。
【先行技術文献】
【特許文献】
【０００８】
【特許文献１】特開２００８−１０４６３３号公報
【特許文献２】特開２００６−２８９２３５号公報
【発明の概要】
【発明が解決しようとする課題】
【０００９】
このような従来の加湿装置および加湿装置を備えた空気清浄装置では、ゴミを掻き取る際に、清掃対象であるロール状のブラシとゴミ掻き取り手段との間には大きな摩擦力が生じ、ロール状のブラシ表面が荒げられ、劣化を促進するという課題があり、表面が劣化させずに清掃することが要求されている。本発明は、このような従来の課題を解決するものであり、簡素でコンパクトな方法で、できるだけ摩擦を生じさせることなく、フィルタの劣化を抑えて、フィルタの表面に付着した汚れを除去することができる加湿装置および加湿装置を備えた空気清浄装置を提供することを目的としている。
【課題を解決するための手段】
【００１０】
本発明の加湿装置および加湿装置を備えた空気清浄装置は、上記目標を達成するために、少なくとも本体ケースと、前記本体ケースの中に、反発性を有する加湿フィルタと、この加湿フィルタに風を送るための送風手段と、前記加湿フィルタへの水供給手段とを備えた加湿装置において、加湿フィルタを加湿装置内で自動的に清掃することを特徴としたものである。
【００１１】
この手段によりフィルタの表面に付着した汚れを、簡素でコンパクトな方法で、できるだけ摩擦を生じさせることなく、フィルタの劣化を抑えることができる加湿装置および加湿装置を備えた空気清浄装置が得られる。
【発明の効果】
【００１２】
本発明によれば加湿フィルタの表面に付着した蒸発残渣を除去でき、目詰まりによる加湿性能の低下を防ぐことができるため、使用者のメンテナンスする頻度を軽減することができるという効果のある加湿装置および加湿装置を備えた空気清浄装置を提供できる。
【００１３】
また、フィルタ表面に摩擦が生じにくく、フィルタの表面劣化を防ぐことができるという効果のある加湿装置および加湿装置を備えた空気清浄装置を提供できる。
【図面の簡単な説明】
【００１４】
【図１】本発明の実施の形態１の加湿装置を示す概略断面図
【図２】同加湿フィルタ清掃方法を示す概略断面図
【図３】同概略拡大図
【図４】本発明の実施の形態２の加湿装置を示す概略断面図
【図５】本発明の実施の形態３の加湿フィルタ取り外し方法を示す概略断面図
【図６】本発明の実施の形態４の加湿装置を示す概略断面図
【図７】本発明の実施の形態５の加湿装置付空気清浄装置を示す概略断面図
【図８】本発明の実施例における汚れの付着スピードを示すグラフ
【図９】従来のフィルタ清掃装置を示す概略斜視図
【図１０】従来のフィルタ清掃装置を示す概略断面図
【発明を実施するための形態】
【００１５】
本発明の請求項１記載の発明は、少なくとも本体ケースと、前記本体ケースの中に、反発性を有する加湿フィルタと、この加湿フィルタに風を送るための送風手段と、前記加湿フィルタへの水供給手段とを備えた加湿装置において、加湿フィルタを加湿装置内で自動的に清掃することを特徴としたものであり、加湿フィルタの表面に付着した蒸発残渣を除去でき、目詰まりによる加湿性能の低下を防ぐことができるという作用を有する。
【００１６】
また、本発明の請求項２記載の発明は、反発性を有するフィルタに、このフィルタを変形させるために接触するフィルタ接触部とこの接触部を支持する支持部を備えたフィルタ押さえ手段を接触させ、前記フィルタを変形させることにより清掃を行うものであり、フィルタの表面に付着した蒸発残渣を、簡素でコンパクトな方法で、できるだけ摩擦を生じさせることなく、フィルタの劣化を抑えながら清掃することができる。また、フィルタ清掃の手間を低減することができ、長期間にわたってフィルタ本来の性能を維持することができるという作用を有する。
【００１７】
また、本発明の請求項３記載の発明は、加湿フィルタの清掃時期を検知する検知手段を備え、前記検知手段で清掃時期を検知して前記加湿フィルタの清掃を指示するものであり、定期的に加湿フィルタを掃除できるという作用を有する。
【００１８】
また、本発明の請求項４記載の発明は、検知手段は、運転時間を計測して積算する時間積算手段であるものであり、定期的に加湿フィルタを掃除できるという作用を有する。
【００１９】
また、本発明の請求項５記載の発明は、検知手段は、加湿フィルタに触れる水の導電率を測定する導電率測定手段であるものであり、定期的に加湿フィルタを掃除できるという作用を有する。
【００２０】
また、本発明の請求項６記載の発明は、検知手段は、加湿フィルタに触れる水の光透過率を測定する光透過率測定手段であるものであり、定期的に加湿フィルタを掃除できるという作用を有する。
【００２１】
また、本発明の請求項７記載の発明は、検知手段は、送風手段にかかる負荷の変化を測定する負荷計測手段であるものであり、定期的に加湿フィルタを掃除できるという作用を有する。
【００２２】
また、本発明の請求項８記載の発明は、検知手段は、フィルタ押さえ手段にかかる力を測定する反発力測定手段であるものであり、定期的に加湿フィルタを掃除できるという作用を有する。
【００２３】
また、本発明の請求項９記載の発明は、水供給手段に水を定期的に補充する水補充手段を備え、前記水補充手段は取り外し可能なタンクであり、検知手段は前記水供給手段の水供給回数を積算する回数積算手段であるものであり、定期的に加湿フィルタを掃除できるという作用を有する。
【００２４】
また、本発明の請求項１０記載の発明は、水供給手段は水道配管と直結した構造であり、検知手段は前記水供給手段の水供給量を積算する供給量積算手段であるものであり、定期的に加湿フィルタを掃除できるという作用を有する。
【００２５】
また、本発明の請求項１１記載の発明は、加湿フィルタが回転運動をすることを特徴とするものであり、回転することにより、一定スペース内で清掃を繰り返すことができるために、コンパクトにフィルタ清掃をすることができるという作用を有する。
【００２６】
また、本発明の請求項１２記載の発明は、フィルタ押さえ手段が、加湿フィルタを取り外す障害にならない位置に配置するものであり、加湿フィルタを取り外して収納する際に、容易に実施することができるという作用を有する。
【００２７】
また、本発明の請求項１３記載の発明は、加湿フィルタが略円筒形状であり、筒の中心軸を回転軸として回転することを特徴とするものであり、回転することにより、一定スペース内で清掃を繰り返すことができるために、コンパクトにフィルタ清掃をすることができるという作用を有する。
【００２８】
また、本発明の請求項１４記載の発明は、加湿フィルタが円盤形状であり、円盤の中心を回転軸として回転することを特徴とするものであり、回転することにより、一定スペース内で清掃を繰り返すことができるために、コンパクトにフィルタ清掃をすることができるという作用を有する。
【００２９】
また、本発明の請求項１５記載の発明は、加湿フィルタ清掃時に、加湿フィルタが、その少なくとも一部を水に浸漬して運動することを特徴とするものであり、加湿フィルタの表面で除去された汚れを水に洗い流しながら洗浄を繰り返すことができるという作用を有する。
【００３０】
また、本発明の請求項１６記載の発明は、反発性を有する加湿フィルタが立体編物を基材とするものであることを特徴とするものであり、反発性と耐久性を兼ね備えた加湿フィルタを得ることができるために、フィルタ清掃時にも、十分な耐久性を確保することができるという作用を有する。
【００３１】
また、本発明の請求項１７記載の発明は、加湿フィルタの清掃後に、排水を行うことを特徴とするものであり、加湿フィルタから剥離した汚れを排出し、加湿フィルタに汚れを残さず清潔に保つことができるという作用を有する。
【００３２】
また、本発明の請求項１８記載の発明は、排水した水を収納する排水トレイを備え、前記排水トレイが水補充手段と同時に取り外すことが可能であり、かつ前記排水トレイと前記水補充手段を分割することが可能であるものであり、加湿フィルタから剥離した汚れを排出し、加湿フィルタに汚れを残さず清潔に保つことができるとともに、排水トレイを水補充時に清掃することができるという作用を有する。
【００３３】
また、本発明の請求項１９記載の発明は、排水トレイを乾燥させる乾燥手段を備え、前記排水トレイに水分がある場合に前記排水トレイを乾燥させるものであり、加湿フィルタから剥離した汚れを排出し、加湿フィルタに汚れを残さず清潔に保つことができるとともに、排水トレイを乾燥させることで余分なスペースが不要となりコンパクトにできるという作用を有する。また、排水トレイにおける水分の腐敗や雑菌の繁殖を抑制することができるという作用を有する。
【００３４】
また、本発明の請求項２０記載の発明は、加湿フィルタの清掃後に、加湿フィルタのすすぎ洗浄を行うことを特徴とするものであり、加湿フィルタをさらに清潔に保つことができるという作用を有する。
【００３５】
また、本発明の請求項２１記載の発明は、加湿フィルタの清掃後に、送風手段を稼働させることにより加湿フィルタを乾燥することを特徴とするものであり、加湿フィルタにおける菌やカビの繁殖を抑制することができ、加湿フィルタを清潔に保つことができるという作用を有する。
【００３６】
また、本発明の請求項２２記載の発明は、本体ケースを収納する前に、加湿フィルタの清掃後に、送風手段を稼働させることにより加湿フィルタを乾燥するとともに、本体ケース内部も乾燥することを特徴とするものであり、加湿フィルタや本体ケース内部における菌やカビの繁殖を抑制することができ、加湿フィルタを清潔に保つことができるという作用を有する。
【００３７】
また、本発明の請求項２３記載の発明は、少なくとも本体ケースと、前記本体ケースの中に、反発性を有する加湿フィルタと、この加湿フィルタに風を送るための送風手段と、前記加湿フィルタへの水供給手段とを備えた加湿装置付空気清浄装置において搭載される加湿装置であり、加湿フィルタの表面に付着した蒸発残渣を除去でき、目詰まりによる加湿性能の低下を防ぐことができるという作用を有する。
【００３８】
以下、本発明の実施の形態について図面を参照しながら説明する。
【００３９】
（実施の形態１）
図１に示すように、加湿装置１１は、本体ケース１２と、図示しない送風手段と、反発性を有する加湿フィルタ１３と、加湿フィルタ１３への水供給手段としての貯水トレイ１５および水補充手段としての貯水タンク１４を備えている。加湿フィルタ１３は、中空円筒形状をしており、清掃時には、その下部を貯水トレイ１５に浸けながら、円筒の中心軸を回転軸として回転する。また、貯水トレイ１５の下部には、さらに排水トレイ１６を備えている。
【００４０】
また、図２に示すように、略円筒形状の加湿フィルタ１３は、筒の中心軸２１を回転軸として回転する。フィルタ押さえ手段は、フィルタ接触部２２と支持部２３からなり、フィルタ接触部２２は、加湿フィルタ１３の回転に対して従動的に回転する。また、加湿フィルタ１３の中空部に加湿フィルタ１３の保持部２５を設けている。
【００４１】
図３には、加湿フィルタ１３にフィルタ接触部２２が接触している様子の拡大概略図を示す。フィルタ押さえ手段のフィルタ接触部２２が、反発性を有する加湿フィルタ１３を変形させながら加湿フィルタ１３の回転に対し従動的に回転する。
【００４２】
上記構成により、加湿フィルタ１３の表面に付着した蒸発残渣を除去でき、目詰まりによる加湿性能の低下を防ぐことができるという効果が得られ、長期間にわたってユーザーがお手入れを実施しなくても加湿装置としての性能を十分に発揮することができる。
【００４３】
反発性を有する加湿フィルタ１３としては、さらに耐水性を有するものが良い。たとえば、ウレタンフォームや、樹脂繊維からなる立体編物などを基材として用いることができる。
【００４４】
略円筒形状の加湿フィルタ１３として、繊維で構成される立体編物を用いるものとし、汚れの剥離除去メカニズムを以下に説明する。フィルタ接触部２２が反発性を有する加湿フィルタ１３の厚みの約半分を押しつぶすと、加湿フィルタ１３は厚み方向に変形を起こす。汚れ２６は、加湿フィルタ１３の基材表面にはりつくように付着しているので、この変形により、加湿フィルタ１３と汚れ２６の間に空隙が生じ、汚れ２６は剥離する。さらに、剥離した状態で加湿フィルタ１３上に乗っている剥離汚れ２７は、接触部分が移動していくことにより振り落とされる。
【００４５】
フィルタ押さえ手段のフィルタ接触部２２を、加湿フィルタ１３の回転に対して従動的に回転させるためには、たとえば、加湿フィルタ１３の外部に備えた保持部２５にギアを設け、フィルタ接触部２２にもギアを設け、これらをかみ合わせることによってフィルタ接触部２２を従動的に回転させることができる。または、加湿フィルタ１３の表面またはフィルタ接触部２２の少なくとも一方の表面に凹凸を設けても良い。これらがかみ合うことによって従動的な回転が起こる。すなわち、加湿フィルタ１３とフィルタ接触部２２が、お互いにギアの役割をする。
【００４６】
反発性を有する加湿フィルタ１３を、略円筒形状にすることにより、一定スペース内で清掃を繰り返すことができるために、コンパクトにフィルタ清掃を行うことができるが、さらに、加湿フィルタ１３の中空部を利用して、フィルタ接触部２２や保持部２５を設けることができるために、コンパクトでかつ清掃効率の高いフィルタ清掃を行うことができる。
【００４７】
加湿フィルタ１３の清掃時に、加湿フィルタ１３がその少なくとも一部を貯水トレイの水に浸けながら回転することにより、加湿フィルタ１３の表面で除去された汚れを水に洗い流しながら洗浄を繰り返すことができるという効果が得られる。加湿フィルタ１３を本清掃方法により清掃するだけでは、表面に剥離した汚れが残留するため、ユーザーが自らすすぎ洗いを実施するか、または、別の汚れ除去手段により加湿フィルタ表面を清掃してからでないと、加湿装置を再稼動させたときに加湿フィルタ１３から剥離したが表面に残存する汚れが噴出する可能性があり、清潔でない。ユーザーの手間を軽減、または装置を簡潔にするためには、加湿フィルタ表面に残留した汚れを貯水トレイで洗い流すのがもっとも効率的である。
【００４８】
また、加湿フィルタ１３の清掃後には、汚れを溜めた貯水を、排水トレイ１６に流すのが良い。加湿フィルタ１３から剥離した汚れを排出し、加湿フィルタ１３に汚れを残さず清潔に保つことができるという効果が得られる。あるいは、排水トレイ１６を設けない場合には、汚れを貯めた貯水を、ポンプなどを用いて水補充手段としての貯水タンク１４に逆流させて回収するという方法によっても同じ効果が得られる。また、回収した水を送風などによって乾燥させ、汚れを強制的に固化すれば、さらに廃棄が容易になり、かつ、水分の腐敗や雑菌の繁殖を抑制することができる。
【００４９】
排水の方法としては、たとえば、貯水トレイ１５と排水トレイ１６の接続部に電磁弁を設け、貯水をすべて排水トレイ１６に移動させたことを検知して弁を閉じれば、汚れた水が貯水に逆流することがない。貯水を排水トレイ１６に移動させた後に、貯水トレイ１５に貯水タンク１４から新しい水を供給することにより、すぐに加湿運転を再開することもできるし、さらに加湿フィルタ１３のすすぎ洗浄を行うこともできる。
【００５０】
また、加湿フィルタ１３の清掃後には、送風手段を稼動させることにより加湿フィルタ１３を乾燥させても良い。たとえば、貯水をすべて排水した後、または加湿フィルタ１３を貯水から離した状態で送風を行うことにより、加湿フィルタ１３における菌やカビの繁殖を抑制することができ、加湿フィルタ１３を清潔に保つことができるという効果が得られる。
【００５１】
加湿フィルタ１３の清掃時期を検知する検知手段を備えることで、加湿フィルタ１３の清掃時期を自動で判断して、加湿フィルタ１３の清掃を実施できる。
【００５２】
このとき検知方法としては、加湿装置１１の運転時間を計測する方法があり、検知手段を時間積算手段であるタイマー（図示なし）を使用することで実現可能である。
【００５３】
その他の検知方法として、加湿フィルタ１３に触れる水の導電率を測定する方法があり、導電率測定手段（図示なし）を使用することで実現可能である。
【００５４】
また、他の検知方法として、加湿フィルタ１３に触れる水の光透過率を測定する方法があり、光透過率測定手段（図示なし）を使用することで実現可能である。例えば、発光部（図示なし）と受光部（図示なし）を設け、水が濁り受光量が低下することを検知するものである。
【００５５】
また、他の検知方法として、送風手段（図示なし）にかかる負荷の変化を測定する方法があり、付加計測手段（図示なし）を使用することで実現可能である。例えば、送風手段（図示なし）を駆動するモータ（図示なし）の回転トルクと回転数を測定することで測定できるものである。
【００５６】
また、他の検知方法として、フィルタ押さえ手段の支持部２３にかかる力を測定する方法があり、反発力測定手段（図示なし）を使用することで実現可能である。
【００５７】
また、他の検知方法として、水補充手段である貯水タンク１４の水補給回数を測定する方法があり、回数積算手段（図示なし）を使用することで実現可能である。水補給回数は、実質的な加湿運転時間の積算に等しく、水補給回数の測定は、運転時間の単純積算に比べてより実使用条件に基づく検知を行うことができる。
【００５８】
（実施の形態２）
実施の形態１と同一部分については同一符号を付し、詳細な説明は省略する。
【００５９】
図４に示すように、水供給手段は水道配管３１と直結した構造とする場合には、加湿フィルタ１３の清掃時期を検知する検知手段を、水供給手段の水供給量を積算する供給量積算手段（図示なし）とすることで加湿フィルタ１３の清掃時期を自動で判断して、加湿フィルタ１３の清掃を実施できる。
【００６０】
（実施の形態３）
実施の形態１または２と同一部分については同一符号を付し、詳細な説明は省略する。
【００６１】
図５に示すように、加湿フィルタ１３を清掃した後に、送風手段を稼働させることにより加湿フィルタ１３を乾燥するとともに、本体ケース１２の内部も乾燥することで、加湿装置１１を使用しない期間や、加湿装置１１を収納保管する場合にも清潔に保つことができる。
【００６２】
また、この際には、加湿フィルタ１３を本体ケース１２から取り外して、保管する場合があるため、フィルタ押さえ手段であるフィルタ接触部２２と支持部２３が、加湿フィルタ１３を本体ケース１２から取り外す障害にならない位置に配置している。
【００６３】
（実施の形態４）
実施の形態１乃至３のいずれかと同一部分については同一符号を付し、詳細な説明は省略する。
【００６４】
図６に示すように、排水トレイ１６が水補充手段である貯水タンク１４と同時に取り外すことが可能であり、かつ排水トレイ１６と水補充手段である貯水タンク１４を分割することが可能な構成である。
【００６５】
したがって、貯水タンク１４に水を注水するたびに、排水トレイ１６を随時清掃できるため、清潔を維持することが可能である。
【００６６】
（実施の形態５）
実施の形態１乃至４のいずれかと同一部分については同一符号を付し、詳細な説明は省略する。
【００６７】
図７に示すように、加湿装置付空気清浄装置４１は、本体ケース４２と、集塵フィルタ４７と図示しない送風手段と、反発性を有する加湿フィルタ４３と、加湿フィルタ４３への水供給手段としての貯水トレイ４５および水補充手段としての貯水タンク４４を備えている。加湿フィルタ４３は、中空円筒形状をしており、清掃時には、その下部を貯水トレイ４５に浸けながら、円筒の中心軸を回転軸として回転する。また、貯水トレイ４５の下部には、さらに排水トレイ４６を備えている。
【実施例】
【００６８】
実施の形態１に示した加湿装置を用いて、加湿フィルタ上に付着した汚れの除去効果を確認した。反発性を有する加湿フィルタとしては、ポリエステル材質の立体編物を丸めて中空円筒形状に成形したものを用い、フィルタの中空部には、フィルタ押さえ手段の支持部を設けた。この加湿装置を三台用意し、それぞれに硬度１０００ｐｐｍの硬水を容量４リットルの貯水タンクに供給しながら、以下の条件に従って１日タンク一杯の水を加湿させた。
（１）清掃はいっさい行わない
（２）１週間に１回、加湿運転を停止し、本発明のフィルタ清掃方法を実施する
（３）つねにフィルタ押さえ手段をフィルタに接触させ、フィルタを変形させたまま加湿運転を連続する
【００６９】
その結果を図８に示す。横軸は貯水タンクへの給水回数、縦軸は汚れの付着量を表す。１週間に１回、加湿運転を停止してフィルタ清掃を行った（２）では、フィルタ清掃により、毎回、付着した汚れの約８０％を除去することができ、清掃を行わない（１）に比べて汚れの付着スピードを約７０％遅らせることができた。また、つねにフィルタ押さえ手段をフィルタに接触させた（３）では、清掃を行わない（１）に比べて汚れの付着スピードを約２０％遅らせることができた。
【００７０】
これらを継続した結果、貯水タンクへの給水回数が２０回に達した時点で、加湿フィルタに付着していた汚れ量は、（１）３６．１ｇ、（２）２０．８ｇ、（３）２８．８ｇ、であり、本発明である（２）および（３）の優位性が確認された。さらに、フィルタ押さえ手段が清掃時にのみフィルタと接触する（２）は、フィルタ押さえ手段がつねにフィルタと接触している（３）に比べ、なお優位であることも確認された。
【００７１】
これにより、従来はユーザーが自らフィルタの清掃を行わなければ性能の維持が困難であった機器について、このフィルタ清掃方法を行うことにより、フィルタの表面に付着した汚れを、簡素でコンパクトな方法で、できるだけ摩擦を生じさせることなく、劣化を抑えながら清掃することができ、ユーザーの手間を大幅に低減することが可能となった。
【産業上の利用可能性】
【００７２】
簡素でコンパクトでも十分な汚れ除去効果が得られ、できるだけ摩擦を生じさせることなく、フィルタの劣化を抑えながら清掃することができ、これにより、長期間にわたってフィルタ本来の性能を維持することができるために、加湿装置、空気清浄装置、空気調和装置、掃除機などの汚れの付着するフィルタを用いる機器に適用できる。
【符号の説明】
【００７３】
１１    加湿装置
１２    本体ケース
１３    加湿フィルタ
１４    貯水タンク
１５    貯水トレイ
１６    排水トレイ
２１    中心軸
２２    フィルタ接触部
２３    支持部
２５    保持部
２６    汚れ
２７    剥離汚れ
３１    水道配管
４１    加湿装置付空気清浄装置
４２    本体ケース
４３    加湿フィルタ
４４    貯水タンク
４５    貯水トレイ
４６    排水トレイ
４７    集塵フィルタ
１０１  清掃装置
１０２  筐体
１０３  ブラシ
１０４  ダストボックス
１０５  蓋
１０６  ゴミ掻き取り部材
２０１  フィルタ清掃手段
２０２  フィルタ
２０３  吸引ダクト
２０４  ベルト連結部
２０５  ダストボックス
【図１】
2010091256.tif 000003
【図２】
2010091256.tif 000004
【図３】
2010091256.tif 000005
【図４】
2010091256.tif 000006
【図５】
2010091256.tif 000007
【図６】
2010091256.tif 000008
【図７】
2010091256.tif 000009
【図８】
2010091256.tif 000010
【図９】
2010091256.tif 000011
【図１０】
2010091256.tif 000012